【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
拠点毎に設置された複数の画像出力装置の色管理を行うべく、前記拠点毎に配置され前記画像出力装置から出力される出力物の測定を行う複数の測色計の測定値の基準値との差に基づいて補正した前記出力物の測定値に関する情報を提供する色管理システムであって、
前記拠点毎に配置され、前記測色計により測定された色見本の測定値と、それ以降に測定された前記出力物の測定値及びその測定日を送信する測定値送信手段を有する複数の端末装置と、
前記複数の端末装置とネットワークを介して接続され、前記測定値送信手段から送信された色見本の測定値と前記出力物の測定値及びその測定日を受信する測定値受信手段と、
前記受信した色見本の測定値と前記出力物の測定値及びその測定日を格納する測定値格納手段と、
前記格納された出力物の測定値の内、比較対象となる前記複数の端末装置の測定値送信手段から送信された前記色見本の測定値に基づいて、前記比較対象となる複数の端末装置の測定値送信手段から送信された同一又は最近の測定日に測定された出力物の測定値を、前記基準値となるそれらの何れかの測定値に近似させる補正を行う補正式を導出する補正式導出手段と、
前記同一又は最近の測定日に測定された複数の出力物の測定値を前記導出された補正式によって補正した出力物の測定値と前記補正した出力物の測定値の測定日とに基づいて、前記補正した出力物の測定値の経時的変化を示す情報を前記端末装置から閲覧可能に生成する情報生成手段と、
を有する管理サーバーと、を備えたことを特徴とする色管理システム。
【請求項２】
前記端末装置は、前記比較対象となる複数の端末装置を指定するための比較対象指定手段をさらに備え、
前記補正式導出手段は、前記比較対象指定手段により指定された複数の端末装置の測定値送信手段から送信された色見本の測定値に基づいて、前記比較対象となる複数の端末装置の測定値送信手段から送信された同一又は最近の測定日に測定された出力物の測定値を、前記基準値となるそれらの何れかの測定値に近似させる補正を行う補正式を導出することを特徴とする請求項１記載の色管理システム。
【請求項３】
前記端末装置は、前記情報生成手段により生成された前記補正した出力物の測定値の経時的変化を示す情報を取得する取得手段と、前記取得手段により取得された前記補正した出力物の測定値の経時的変化を示す情報を表示する表示手段と、をさらに備えたことを特徴とする請求項１又は請求項２に記載の色管理システム。
【請求項４】
拠点毎に設置された複数の画像出力装置の色管理を行うべく、前記拠点毎に配置され前記画像出力装置から出力される出力物の測定を行う複数の測色計の測定値の基準値との差に基づいて補正した前記出力物の測定値に関する情報を提供する色管理方法であって、
前記拠点毎に配置された複数の端末装置において、
前記測色計により測定された色見本の測定値と、それ以降に測定された前記出力物の測定値及びその測定日を送信する測定値送信ステップと、
前記複数の端末装置とネットワークを介して接続された管理サーバーにおいて、
前記測定値送信ステップにおいて送信された色見本の測定値と前記出力物の測定値及びその測定日を受信する測定値受信ステップと、
前記受信した色見本の測定値と前記出力物の測定値及びその測定日を格納する測定値格納ステップと、
前記格納された出力物の測定値の内、比較対象となる前記複数の端末装置から送信された色見本の測定値に基づいて、前記比較対象となる複数の端末装置から送信された同一又は最近の測定日に測定された前記出力物の測定値を、前記基準値となるそれらの何れかの測定値に近似させる補正を行う補正式を導出する補正式導出ステップと、
前記同一又は最近の測定日に測定された複数の出力物の測定値を前記導出された補正式によって補正した出力物の測定値と前記補正した出力物の測定値の測定日とに基づいて、前記補正した出力物の測定値の経時的変化を示す情報を前記端末装置から閲覧可能に生成する情報生成ステップと、
を含むことを特徴とする色管理方法。
【手続補正２】
【補正対象書類名】明細書
【補正対象項目名】００１１
【補正方法】変更
【補正の内容】
【００１１】
上記課題を解決するために、請求項１記載の発明は、拠点毎に設置された複数の画像出力装置の色管理を行うべく、前記拠点毎に配置され前記画像出力装置から出力される出力物の測定を行う複数の測色計の測定値の基準値との差に基づいて補正した前記出力物の測定値に関する情報を提供する色管理システムであって、前記拠点毎に配置され、前記測色計により測定された色見本の測定値と、それ以降に測定された前記出力物の測定値及びその測定日を送信する測定値送信手段を有する複数の端末装置と、前記複数の端末装置とネットワークを介して接続され、前記測定値送信手段から送信された色見本の測定値と前記出力物の測定値及びその測定日を受信する測定値受信手段と、前記受信した色見本の測定値と前記出力物の測定値及びその測定日を格納する測定値格納手段と、前記格納された出力物の測定値の内、比較対象となる前記複数の端末装置の測定値送信手段から送信された前記色見本の測定値に基づいて、前記比較対象となる複数の端末装置の測定値送信手段から送信された同一又は最近の測定日に測定された出力物の測定値を、前記基準値となるそれらの何れかの測定値に近似させる補正を行う補正式を導出する補正式導出手段と、前記同一又は最近の測定日に測定された複数の出力物の測定値を前記導出された補正式によって補正した出力物の測定値と前記補正した出力物の測定値の測定日とに基づいて、前記補正した出力物の測定値の経時的変化を示す情報を前記端末装置から閲覧可能に生成する情報生成手段と、を有する管理サーバーと、を備えたことを特徴とする。
【手続補正３】
【補正対象書類名】明細書
【補正対象項目名】００１２
【補正方法】変更
【補正の内容】
【００１２】
上記課題を解決するために、請求項４記載の発明は、拠点毎に設置された複数の画像出力装置の色管理を行うべく、前記拠点毎に配置され前記画像出力装置から出力される出力物の測定を行う複数の測色計の測定値の基準値との差に基づいて補正した前記出力物の測定値に関する情報を提供する色管理方法であって、前記拠点毎に配置された複数の端末装置において、前記測色計により測定された色見本の測定値と、それ以降に測定された前記出力物の測定値及びその測定日を送信する測定値送信ステップと、前記複数の端末装置とネットワークを介して接続された管理サーバーにおいて、前記測定値送信ステップにおいて送信された色見本の測定値と前記出力物の測定値及びその測定日を受信する測定値受信ステップと、前記受信した色見本の測定値と前記出力物の測定値及びその測定日を格納する測定値格納ステップと、前記格納された出力物の測定値の内、比較対象となる前記複数の端末装置から送信された色見本の測定値に基づいて、前記比較対象となる複数の端末装置から送信された同一又は最近の測定日に測定された前記出力物の測定値を、前記基準値となるそれらの何れかの測定値に近似させる補正を行う補正式を導出する補正式導出ステップと、前記同一又は最近の測定日に測定された複数の出力物の測定値を前記導出された補正式によって補正した出力物の測定値と前記補正した出力物の測定値の測定日とに基づいて、前記補正した出力物の測定値の経時的変化を示す情報を前記端末装置から閲覧可能に生成する情報生成ステップと、を含むことを特徴とする。
【手続補正４】
【補正対象書類名】明細書
【補正対象項目名】００５２
【補正方法】変更
【補正の内容】
【００５２】
〔情報生成ステップ〕
さらに、ユーザが、端末装置２ａの入力手段の操作により、当該診断画面２０Ａの評価レポート項目２０Ａｉを選択すると、情報生成部１ｄは、上述したように、補正式導出部１ｆにより導出された補正式を用いて、これまでに格納部１ｂのユーザ測定器測定データｔａｂｌｅに格納された全ての測色計Ｓ１による出力装置Ｃ１から出力された出力物の測定値を補正して、それらの補正された測色計Ｓ１による出力装置Ｃ１から出力された出力物の測定値と、当該補正された出力物の測定値を測定した測定日時とに基づいて、補正された測色計Ｓ１による出力装置Ｃ１から出力された出力物の測定値の経時的な変化をＷｅｂページである、例えば図７（Ａ）に示すような評価レポート画面（測定結果一覧表示形態）３０Ａや、図７（Ｂ）に示すような評価レポート画面（測定結果グラフ表示形態）３０Ｂにおいて一覧表示、又は、グラフ表示した情報を生成する（Ｓ１４）。